(57)【特許請求の範囲】
【請求項１】
平面視角形の展示空間を囲う複数枚の透明板を備えており、交叉姿勢で隣り合った２枚の透明板を、当該２枚の透明板の端面の間にエッジ材を介在させた状態で接合しており、前記２枚の透明板とエッジ材とによって一つのコーナー部が構成されている、という展示ケースであって、
前記交叉した２枚の透明板における互いに近接した端面は、全幅のうち全部又は一部が平面視で前記展示空間に向いた広巾面と鈍角で交叉するように傾斜していて、両透明板の端面の間に、電源ケーブルを挿通できる中空部が空いている前記エッジ材が挟まれており、前記エッジ材と２枚の透明板の端面とがそれぞれ接着剤で接着されており、
前記エッジ材のうち前記展示空間の外側に露出した外面を、隣り合った透明板の外面に連続した平坦面又は平断面視外向き凸状の湾曲面とすることにより、前記２枚の透明板とエッジ材とより成るコーナー部を面取りされた形態と成すと共に、前記中空部を隣り合った透明板の端面の間に位置させている、
展示ケース。
【請求項２】
前記エッジ材は平面視で前記展示空間の対角方向に長く延びる形態であり、前記ケーブルを挿通できる中空部も平面視で前記展示空間の対角方向に長く延びている、
請求項１に記載した展示ケース。
【請求項３】
前記エッジ材は前記展示空間に向いて開口しており、前記エッジ材に、その開口部を塞ぐキャップが前記展示空間の方から装着されている、
請求項１又は２に記載した展示ケース。
【請求項４】
前記接着剤としてコーキング剤を使用している、
請求項１〜３のうちのいずれかに記載した展示ケース。
【発明の詳細な説明】
【技術分野】
【０００１】
本願発明は、博物館や美術館や商店等に設置して各種の物品の展示に使用される展示ケース（陳列ケースと呼んでも良い）に関するものであり、特に、床に自立させる嵩高で角形の展示ケースを好適な対象にしている。
【背景技術】
【０００２】
展示ケースには様々の種類があり、その一種として、床に設置する自立タイプがある。この自立タイプの展示ケースにおいて、陳列空間の周囲は一般に４枚のガラス板で囲われている。換言すると、４枚のガラス板によって直方体状の陳列空間が構成されている。また、自立タイプの展示ケースには一般成人の身長程度か又はそれよりも嵩高のものがあり、この嵩高タイプでは一般に天井部に灯具を備えている（例えば特許文献１）。
【０００３】
また、高さが高い角形の自立タイプ展示ケースの場合、陳列空間の周囲を構成する４枚のガラス板のうち、正面と左右側面とを構成する３枚のガラス板は隣り合ったものが互いに接合されることで全体として平面視コ字状に連続しており、背面を構成する１枚のガラス板は物品の出し入れのためにスライド式又は水平回動式の扉になっている（例えば特許文献２）。
【０００４】
天井部に灯具を備えている自立タイプ展示ケースでは灯具に電源を供給する必要があるが、建物の電源は床からベース部（或いは陳列台）に引き込まれているので、ベース部から天井部に電源ケーブルを引き上げる必要があるが、陳列空間の周囲の大部分はガラス板で構成されている。そこで、できるだけ目立たない状態で電源ケーブルをベース部から天井部に配線することが工夫されており、従来は、図４に示す方法が採られている。
【０００５】
すなわち、図４（Ａ）の方法は、陳列空間の各コーナー部に角パイプ状のコーナー支柱２１を立設し、このコーナー支柱２１の内部に電源ケーブルＣを配線すると共に、ガラス板２２の端面を接着剤（コーキング剤）２３によってコーナー支柱２１に接着したものであり、他方、図４（Ｂ）の方法は、隣り合ったガラス板２２の端面２２ａを互いに平行になるように平面視で斜めにカットして、隣り合ったガラス板２２の端面２２ａを接着剤２３で接着すると共に、接着剤２３の内部に電源ケーブルＣを埋設している。
【特許文献１】特開平８−２０５９６９号公報
【特許文献２】特開２０００−３３３７９４号公報
【発明の開示】
【発明が解決しようとする課題】
【０００６】
図４（Ａ）のように中空のコーナー支柱２１を使用すると、全体的に堅牢な構造になって強度に優れると共に、物がコーナー部に当たったときに衝撃がガラス板に及ぶことを防止して保護機能に優れており、かつ、配線作業と接着作業とは別々であるためそれら配線作業と接着作業を容易に行える。また、電源ケーブルＣの交換や追加、或いはセンサ類用通信ケーブルの追加なども容易に行えると言った利点があるが、その一方で、コーナー支柱２１が目立って見栄えに劣るという問題があった。
【０００７】
他方、図４（Ｃ）の構成では、ガラス板２２の端面を斜めにカットしたことによる光の回析に起因していると推測されるが、接着剤２３は相当に厚くてもあまり目立たずに見栄えに優れているという利点を有する。しかし、その反面で、電源ケーブルＣを接着剤２３に埋め込んだ状態で接着作業を行うのが面倒であると共に、電源ケーブルＣの交換や追加、或いはセンサの追加なども極めて厄介であり、また、図４（Ａ）に比べると強度に劣ると共に外部からの衝撃にも弱いという問題があった。
【０００８】
本願発明はこのような現状に鑑み成されたものであり、強度及び防護機能とコーナー部の見栄えの良さを確保しつつ、配線作業及び接着作業の容易性も実現できるようにすることを課題とするものである。
【課題を解決するための手段】
【０００９】
本願発明に係る展示ケースは、平面視角形の展示空間を囲う複数枚の透明板を備えており、交叉姿勢で隣り合った２枚の透明板を、当該２枚の透明板の端面の間にエッジ材を介在させた状態で接合しており、前記２枚の透明板とエッジ材とによって一つのコーナー部が構成されている、という基本構成になっている。
【００１０】
そして、請求項１の発明では、前記基本構成において、前記交叉した２枚の透明板における互いに近接した端面は、全幅のうち全部又は一部が平面視で前記展示空間に向いた広巾面と鈍角で交叉するように傾斜していて、両透明板の端面の間に、電源ケーブルを挿通できる中空部が空いている前記エッジ材が挟まれており、前記エッジ材と２枚の透明板の端面とがそれぞれ接着剤で接着されており、前記エッジ材のうち前記展示空間の外側に露出した外面を、隣り合った透明板の外面に連続した平坦面又は平断面視外向き凸状の湾曲面とすることにより、前記２枚の透明板とエッジ材とより成るコーナー部を面取りされた形態と成すと共に、前記中空部を隣り合った透明板の端面の間に位置させている。
【００１１】
請求項２の発明では、請求項１において、前記エッジ材は平面視で前記展示空間の対角方向に長く延びる形態であり、前記ケーブルを挿通できる中空部も平面視で前記展示空間の対角方向に長く延びている。請求項３の発明では、請求項１又は２において、前記エッジ材は前記展示空間に向いて開口しており、前記エッジ材に、その開口部を塞ぐキャップが前記展示空間の方から装着されている。更に請求項４の発明は、請求項１〜３のうちのいずれかにおいて、前記接着剤としてコーキング剤を使用している。
【発明の効果】
【００１２】
本願発明のエッジ材には配線用の中空部が存在しているため、配線作業と接着作業とは別々に行うことができ、このため展示ケースの組立作業が厄介になることを防止できると共に、ケーブルの交換や追加なども容易に行える。更に、エッジ材は支柱又は枠材としても機能するため、展示ケース全体として高い強度を確保できると共に、コーナー部に物が当たったときの防護機能にも優れている。
【００１３】
また、ガラス板の端面の全体又は一部が展示空間に向いた広巾面に対して鈍角を成すように傾斜しているため、光の回析に起因すると推測される現象を利用してエッジ材を目立たなくすることができ、このため見栄えも良い。
【００１４】
本願発明のうち、エッジ材のうち外側に露出した部分を円弧状に形成すると、エッジ材が角張っている場合に比べて露出面積が少なくなるため一層見栄えが良くなって好適であった。また、図４（Ａ）の従来技術は支柱の露出部は角張っているため物が当たったときに傷付きやすいと共に、人が当たったときのダメージが大きいという問題があるが、本願発明の構成を採用すると、物が当たるにしても人が当たるにしても当たりの面積が大きいため、物が当たったときには傷付きにくくて人が当たったときには人に対するダメージが小さいという利点がある。
【００１５】
実施形態のようにエッジ材に位置決め部を設けると、隣り合ったガラス板をエッジ材に接着するにおいてガラス板とエッジ材とを正確に位置決めできるため、組立作業の手間を抑制できると共に展示ケースの仕上がり寸法精度も向上できる利点がある。
【発明を実施するための最良の形態】
【００１６】
次に、本願発明の実施形態を図面（図１〜図３）に基づいて説明する。
【００１７】
(1).展示ケースの概要
図１（Ａ）は展示ケースの一例を示す大まかな全体な斜視図であり、本例の展示ケース１は、平面視四角形のベース２及び天板３、四周を構成する縦長長方形の透明な前板４と側板５と背板６を備えている。従って、展示ケース１の周囲には４つのコーナー部が存在している。前板４と側板５と背板６とは、透明度と強度に優れたガラス板から成っている。
【００１８】
本実施形態ではベース２は前後左右の幅寸法に比べて高さが小さい薄型になっており、各板４，５，６はベース２の側面に固定されており、かつ、ベース２には、当該ベース２よりも前後寸法及び幅寸法が小さい展示台７を突設している。従って、展示台７と各板４，５，６との間には空間が空いているが、展示台７とベース２とを一体化して展示台７の上端部から各板４，５，６を立ち上げても良い。
【００１９】
図１において（Ａ）は（Ｂ）のＢ−Ｂ視断面図であり、この図に示すように、展示ケース１の天井部は天板３との間に空間を空けた状態で配置された透光板８を有しており、透光板８は平面視四角形で大きな開口を有する金属板製の天フレーム９に接着剤（コーキング剤）１０で固定されている。そして、天フレーム９の四周には下向き開口の溝形部９ａ，９ｂ，９ｃを曲げ形成しており、各溝形部９ａ〜９ｃに板４，５，６を嵌め入れている。天板３と透光板８との間の空間には、蛍光灯等の灯具１１を設けている。
【００２０】
前板４と左右の側板５とは後述する手段で一体に連結（固定）されている一方、背板６は天フレーム９に形成した溝形部９ｃとベース２に設けた下レール（図示せず）とに左右スライド可能に嵌め込まれており、背板６をスライドして内部を空けることで物品ＡＳを出し入れできる。敢えて述べるまでもないが、４枚の板４，５，６で囲われた空間のうち展示台７の上方の部分が平面視四角形の展示空間１２になっている。背板６は、水平回動式としたり着脱式にしたりすることも可能である。
【００２１】
(2).前板と側板との接合に関する第１実施形態
前板４と側板５との接合手段の具体的な実施形態を図２及び図３で示している。まず、図２（Ａ）の第１実施形態から順に説明する。なお、前板４と左右の側板５とは同じ手段で接合（固定）されているが、図２，３では前板４と右側板５との接合箇所を代表として描いている。
【００２２】
本実施形態では、前板４と側板５とはエッジ材１４及び接着剤１５を介して接合されている。そして、図は図２（Ａ）に示す第１実施形態では、エッジ材１４は平面視で展示ケース１（或いは展示空間１２）の対角方向に長く延びる中空角形になっており、その内部に電源等のケーブルＣを通している。エッジ材１４のうち前板４と側板５との間から外側に露出した部分１４ａは平坦状になっている。
【００２３】
従って、展示ケース１を全体的に見ると、前板４と側板５とエッジ材１４とで構成されるコーナー部は面取りされた形態になっており、前板４及び側板５の外面とエッジ材１４の露出部分１４ａとは連続している。他方、エッジ材１４の２つの広巾面は平行に延びており、このエッジ材１４の広巾面と前板４の端面４ａ及び側板５の端面５ａとが接着剤（コーキング剤）１５で接着されている。
【００２４】
接着剤１５は前板４及び側板５の端面４ａ，５ｂの全体に塗着されており、このため、前板４及び側板５の端面４ａ，５ａは、展示空間１２に向いた広巾面とは平面視で鈍角（１３５度）を成していて、外側に露出した広巾面とは平面視で鋭角（４５度）を成している。また、隣り合った前板４の端面４ａと側板５の端面５ａとは平行に延びている。エッジ材１４は、アルミの押し出し品のような金属製品を使用したり樹脂の押し出し品を使用できる。金属製の場合は必然的に不透明であるが、樹脂製の場合でも、内部のケーブルＣが見えないように不透明な素材を使用するのが好ましい。接着剤１５は見栄えの点から透明なものを使用するのが好ましい。
【００２５】
以上の構成において、前板４と側板５とは中空のエッジ材１４を介して接合されているため、電源ケーブルＣや各種センサ用ケーブルはエッジ材１４の内部に配線することができ、このため展示ケース１の組立作業に手間がかからないと共にケーブルＣの交換や追加も板４，５を分離することなく容易に行える。また、前板４と側板５とは平断面視で端面４ａ，５ａと外面とが鋭角を成しているため、光の回析の効果と思われるがエッジ材１４が目立たずに見栄えが良い。更に、前板４の端面４ａと側板５の端面５ａとは斜めにカットされているため、図４（Ａ）に比べて端面４ａ，５ａの面積は大きくなっており、このため接着強度が高くなっている利点もある。
【００２６】
(3).他の実施形態
図２（Ｂ）に示す第２実施形態は第１実施形態の変形例であり、第１実施形態との相違点は、外側に露出した面１５ａが平面視で外向き凸状に湾曲している点と、エッジ材１４のうち展示空間１２に向いた端部に前板４及び側板５の内面に部分的に当たる位置決め用のフランジ部１４ｂを形成している点である。
【００２７】
この第２実施形態のようにエッジ材１４のうち外側に露出した面を円弧状の曲面に形成すると、人の目の錯覚によると思われるが実際よりも横幅が薄いように見えて見栄えがより優れている。また、エッジ材１４のフランジ部１４ｂで前板４と側板５との前後位置及び左右位置が規制されるため、前板４及び側板５とエッジ材１４との三者の位置関係が正確に規制され、その結果、組立作業の能率アップと精度アップとに貢献できる。
【００２８】
図２（Ｃ）に示す第３実施形態では、エッジ材１４は、外側寄りに位置した平断面扇形の中空部１４ｃと展示空間１２寄りに位置した板状部１４ｄとで平面視略団扇形又は銀杏葉形になっている。そして、接着剤１５は全体として等しい厚さであり、このため、前板４と側板５との端面４ａ，５ａは、エッジ材１４の板状部１４ｄと対向した部分４ａ′，５ａ′は平断面視において鈍角（約１３５度）で交叉しており、エッジ材１４の中空部１４ｃと対向した部分４ａ″，５ａ″は平面視において外面と９０度の角度で交叉している。
【００２９】
図２（Ｄ）に示す第４実施形態では、エッジ材１４は展示空間１２に向いて開口した平断面視Ｕ字形の溝状（樋状）に形成されており、このエッジ材１４の開口部に展示空間１２の方向からキャップ１６を着脱可能に装着している。キャップ１６はエッジ材１４の内部に嵌まり込む足部１６ａを有している。この第４実施形態のようにエッジ材１４を溝状に形成すると、配線作業（特に組立て後における配線作業）をより一層容易に行える利点がある。
【００３０】
図３（Ａ）に示す第５実施形態は第２実施形態の変形例であり、第２実施形態との相違点は、エッジ材１４のうち前板４の端面４ａと側板５の端面５ａとに対向した広巾面に凹溝１７を形成して、この凹溝１７に接着剤１５を充填した点にある。この実施形態では、エッジ材１４と前板４及び側板５をきっちりと密着させることができるため、前板４及び側板５とエッジ材１４との三者の位置合わせをより正確に行える利点がある。
【００３１】
図３（Ｂ）に示す第６実施形態は第１実施形態の変形例であり、この実施形態ではエッジ材１４は展示空間１２から外側に行くに従って横幅が狭くなるように平面視テーパ状（銅鐸形）になっている。従って、前板４の端面３ａと側板５の端面５ａとは、展示空間１２から外側に行くに従って間隔が狭くなっている。
【００３２】
図３（Ｃ）に示す第７実施形態は、第６実施形態とは逆にエッジ材１４の横幅は展示空間１２から外側に行くに従って大きくなっており、かつ、基端部には位置決め用のフランジ部１４ｂが形成されている。
【００３３】
(4).その他
本願発明は上記の実施形態の他にも様々に具体化できる。例えば平面視角形の展示ケースの場合、４枚の透明板を一連に接合することで全体として筒状の剛体物と成すことも可能である。また、壁際に設置する展示ケースの場合、背板は合板や金属板のような不透明な素材を使用することも可能である。更に、本願発明は平面視三角形や五角形等の展示ケースにも適用できる。
【図面の簡単な説明】
【００３４】
【図１】（Ａ）は本願発明を適用した展示ケースの外観斜視図、（Ｂ）は（Ａ）のＢ−Ｂ視断面図である。
【図２】第１〜第４実施形態を示す図である。
【図３】第５〜第７実施形態を示す図である。
【図４】従来技術を示す図である。
【符号の説明】
【００３５】
１  展示ケース
２  ベース
３  天板（透明板）
４  前板（透明板）
４ａ，５ａエッジ材を介して接合される端面
５  側板（透明板）
６  背板
７  展示台
１１  灯具
１２  展示空間
１４  エッジ材
１４ｂ  位置決め部の一例としてのフランジ部
１５  接着剤
１６  キャップ
Ｃ  ケーブル
【図１】
0005041533.tif 000002
【図２】
0005041533.tif 000003
【図３】
0005041533.tif 000004
【図４】
0005041533.tif 000005